(57)【要約】【課題】ディスプレイ各角の最も奥の端に伸入可能で、擦拭部品の収納と、擦拭器を乾燥してばい菌を生じるのを避けることが可能なディスプレイ擦拭器を提供する。【解決手段】擦拭部品１０は基板部１１を含み、基板部１１の底部に一枚の清潔板１２を連接し、清潔板１２に最少一つの鋭角の擦拭端１２１を含み、ディスプレイの各角の中に伸入して、往復でディスプレイを擦拭して清潔にする。ベース台２０は、底板部２１を含み、底板部２１の周縁に突縁部２２が突き出ていて、突縁部２２に丁度よく擦拭部品の外廓の形状に合う承接穴２２１を設けて、安定に擦拭部品１０を跨接する。底板部２１の底部に多数の支え突部２３を設け、尚且つ底板部２１に多数の通気孔２１１を設けている。これで擦拭部品１０の清潔板１２を外部の空気と接触させることが可能で、これによって清潔板１２の乾燥効率を短縮させる。【選択図】図１
0003128467.tif 000002
【実用新案登録請求の範囲】
【請求項１】
擦拭部品と、ベース台とを含むディスプレイ擦拭器であって、
該擦拭部品は、基板部を含み、該基板部の底部には一枚の清潔板を連接し、該清潔板は最少一つの鋭角の擦拭部を含み、ディスプレイの各角の中に伸入して、往復して該ディスプレイを擦拭いて清潔にし、
該ベース台は、底板部を含み、該底板部の周縁に突縁部が突き上がり、該突縁部に丁度よく該擦拭部品の外廓形状の承接穴が設けられ、安定して該擦拭部品を跨接するように形成されていることを特徴とするディスプレイ擦拭器。
【請求項２】
前記該底板部の底部には、多数の支え突部が設けられ、該底板部に多数の通気孔が貫通して設けられていることを特徴とする請求項１記載のディスプレイ擦拭器。
【請求項３】
前記該擦拭部品は、該基板部の頂端にニギリ部が突設していて、該ニギリ部の底段に比較的細い首段を形成し、該首段から上に向かって拡大頭部を形成し、且つ該拡大頭部は、一側に向かって上に向いて傾斜して伸びることを特徴とする請求項１記載のディスプレイ擦拭器。
【請求項４】
前記該擦拭部品の基板部及び清潔板は、三角形状を形成していることを特徴とする請求項１記載のディスプレイ擦拭器。
【請求項５】
擦拭部品を具え、該擦拭部品は基板部を含み、該基板部の底部に一枚の清潔板を連接し、該清潔板は最少一つの鋭角の擦拭部を含み、ディスプレイの各角の中に伸入して往復することにより該ディスプレイを清潔にすることを特徴とするディスプレイ擦拭器。
【請求項６】
擦拭部品を具え、該擦拭部品は基板部を含み、該基板部は三角形になり、且つ該基板部の各角はいずれも鋭角であり、該基板部の底部に一枚の清潔板を連接し、該清潔板は三角形になっていて基板部と対応し、該清潔板の各角は皆鋭角であり、ディスプレイの各角の中に伸入して往復で該ディスプレイを擦拭いて清潔にすることを特徴とするディスプレイ擦拭器。
【考案の詳細な説明】
【技術分野】
【０００１】
本考案は、ディスプレイ擦拭器に関し、特に該擦拭部品の清潔板は、鋭角状になっている擦拭部を含み、ディスプレイ面板の各角に伸入して擦拭の作業を進行するものに関する。
【背景技術】
【０００２】
現在普及して応用されているディスプレイは、早期の影像管から液晶、プラズマディスプレイに転換している。しかし液晶、プラズマディスプレイは一段の時間を使用した後では、面板上に灰、ゴミが付着して、画像がはっきりしない状況になる。市場での業者は、これに対して、一種の液晶、プラズマディスプレイ専用の擦拭器を出している。図５に示すように、該擦拭器９０は一つのニギリ部９１を含み、該ニギリ部９１の前端は、一つの横板９２を横に設けて、並びに該横板９２の前端に一つの織物で作った清潔部品９３を連結している。これによって使用者は該清潔部品９３をディスプレイ３０の面板上を往復させて擦拭することが可能で、ディスプレイ上に付いた灰、ゴミを清除する。
【考案の開示】
【考案が解決しようとする課題】
【０００３】
しかしながら、上記に掲示した擦拭器９０は、その前端は織物で形成した清潔部品９３であって、その端角は通常では大きい円弧団状になっているので、ディスプレイ３０の各角３１の最も奥の端に伸入することができない。このためにディスプレイ３０の各角３１の所にあるゴミ、灰をきれいに清除することは非常に難しく、これは周知の擦拭器９０の欠点である。
【０００４】
この外に、擦拭を進めている際では、通常はディスプレイ３０上に清潔液を噴き付けるので、これによって清潔後の擦拭器９０の清潔部品９３は、清潔液がついたままである。これに又、周知の擦拭器９０は該擦拭器９０を収納固定する部品或いは装置を提供していないので、このために擦拭器９０は容易に乾燥しない、収納できない、尚且つ容易にばい菌等を生じる欠点がある。
【０００５】
したがって本考案の目的は、ディスプレイ各角の最も奥の端に伸入可能で、擦拭部品の収納と、擦拭器を乾燥してばい菌を生じるのを避けることが可能なディスプレイ擦拭器を提供することにある。
【課題を解決するための手段】
【０００６】
上述の目的を達成するために本考案の請求項に記載のディスプレイ擦拭器は、下記のものを含む。
擦拭部品は基板部を含み、該基板部の底部に一枚の清潔板を連接し、該清潔板に最少一つの鋭角の擦拭部を含み、ディスプレイの各角の中に伸入して、往復で該ディスプレイを擦拭して清潔にする。
ベース台は、底板部を含み、該底板部の周縁に突縁部が突き出ていて、並びに該突縁部に丁度よく該擦拭部品の外廓の形状に合う承接穴を設けて、安定に該擦拭部品を跨接する。
【考案を実施するための最良の形態】
【０００７】
以下、本考案の実施例を図面に基づいて説明する。
図１から図４に示すように、本考案の実施例によるディスプレイ擦拭器は、下記のものを含む。擦拭部品１０、該擦拭部品１０は基板部１１を含んでいる。該基板部１１の底部に一枚の清潔板１２を連接し、該清潔板１２は最少一つの鋭角の擦拭端１２１を含んでいて、ディスプレイ３０の各角３１の中に伸入して往復の擦拭を行って、徹底的に該ディスプレイ３０の各角の所を清潔にする。ベース台２０、該ベース台２０は底板部２１含み、該底板部２１の周縁に突縁部２２を突き出していいる。該突縁部２２上に丁度よく該擦拭部品１０の基板部１１の外廓形状に合う承接穴２２１を設けて、安定的に該擦拭部品１０を跨接する。該底板部２１の底部に多数の支え突部２３を設け、尚且つ該底板部２１に多数の通気孔２１１を設けている。これで擦拭部品１０の清潔板１２を外部の空気と接触させることが可能で、これによって清潔板１２の乾燥効率を短縮させる。
【０００８】
図３に示すように、本考案の実施例により掲示した擦拭部品１０は、該基板部１１の頂端はニギリ部１１２突設していて、該ニギリ部１１２の底段に比較的細い首段１１２ａを形成して、該首段１１２ａから上に向けて拡大頭部１１２ｂを形成し、且つ該拡大頭部は一側に向けて上に向って傾斜して延伸する。これで人体工学の設計に符合して、使用者に気楽なる握り持ちの使用を提供する。
【０００９】
本実施例により掲示したディスプレイ擦拭器は、主に例えば液晶ディスプレイを擦拭するのに応用する。該擦拭備品１０の基板部１１は、最少一つの鋭角部１１ａを形成して、該清潔板１２の鋭角の擦拭端１２１と同時にディスプレイ３０の各角３１の中に伸入して往復の擦拭を進行する。本実施例が掲示した基板部１１、清潔板１２は、三角形或いはその他の形状を形成することが可能である。本考案はこれを自限しない。
【００１０】
本実施例では応用上で、使用者がディスプレイを擦拭する時は、先に清潔液をディスプレイ上に噴射し、次に上に向かってベース台２０上に跨って置いた擦拭部品１０を取り出し、これで、擦拭部品１０の底部の清潔板１２で大面積のディスプレイ３０を擦拭くことが可能である。この外に擦拭部品１０によって鋭角の一端を形成して、ディスプレイ３０のような各角３０に伸入して、ディスプレイ３０の各所を皆綺麗に清潔にすることが可能である。擦拭が完了した後では、該擦拭部品１０をベース台２０上に跨置くことが可能である。本実施例により掲示したベース台２０の底板部２１は各支え突部２３を高くして、懸空状にするので、ディスプレイ３０を拭き終わった後の湿れている清潔板１２上の清潔液は蒸発を経た後では、底板部２１上の通気孔２１１を経て、外に向かって逃げ出すことが可能である。或いは外部の空気は各通気孔２１１を経て擦拭部品１０の清潔板１２に向かって吹くので、清潔板１２は、快速に乾燥して儲存することが可能である。よって細菌を生じるのを避けることが可能である。
【００１１】
（考案の効果）
本実施例により掲示したディスプレイ擦拭器は下記の構造の特徴及び伏点があるのでその新鋭性及び実用性がある。
１、擦拭部品１０上に鋭角の擦拭端１２１を形成しているので、本実施例ではディスプレイ３０の各角３１の所を自由、容易に移動することが可能で、有効にディスプレイ３０の各角３１の所の灰、ゴミ、汚れを清除することが可能である。
【００１２】
２、ベース台２０が配置されているので、使用者に擦拭部品１０を置く必要がある際に置かせるのを提供し、擦拭部品１０の収納にする。
３、ベース台２０上に通気孔２１１が設けていて、快速に使用後の清潔板１２を乾燥し、ばい菌が生じるのを避ける。
本考案の構想、形状を一部変更した後に生じた作用、効果が本明細書、図面を含む範囲である際はすべて本考案の範囲に属することは当然である。
【図面の簡単な説明】
【００１３】
【図１】本考案の実施例によるディスプレイ擦拭器の擦拭部品とベース台分離の状態を示す図である。
【図２】本考案の実施例によるディスプレイ擦拭器の擦拭部品がベース台上に跨って置かれた状態を示す図である。
【図３】図２の３−３方向の局部断面構造を示す図である。
【図４】本考案の実施例によるディスプレイ擦拭器を使用してディスプレイの角を擦拭する状態を示す図である。
【図５】従来の擦拭器でディスプレイの角を擦拭する状態を示す図である。
【符号の説明】
【００１４】
１０  擦拭部品、１１  基板部、１１ａ  鋭角部、１２  清潔板、２０  ベース台、２１  底板部、２２  突縁部、２３  支え突部、３０  ディスプレイ、３１  角、１１２  ニギリ部、１１２ａ  首段、１１２ｂ  拡大頭部、１２１  鋭角の擦拭端、２１１  通気孔、２２１  承接穴
【図１】
0003128467.tif 000003
【図２】
0003128467.tif 000004
【図３】
0003128467.tif 000005
【図４】
0003128467.tif 000006
【図５】
0003128467.tif 000007
【手続補正書】
【提出日】平成18年9月29日(2006.9.29)
【手続補正１】
【補正対象書類名】実用新案登録請求の範囲
【補正対象項目名】全文
【補正方法】変更
【補正の内容】
【実用新案登録請求の範囲】
【請求項１】
擦拭部品と、ベース台とを含むディスプレイ擦拭器であって、
該擦拭部品は、基板部を含み、該基板部の底部には一枚の清潔板を連接し、該清潔板は径方向外側へ突出する最少一つの鋭角の擦拭部を含み、ディスプレイの各角の中に伸入して、往復して該ディスプレイを擦拭いて清潔にし、
該ベース台は、底板部を含み、該底板部の周縁に突縁部が突き上がり、該突縁部に丁度よく該擦拭部品の外廓形状の承接穴が設けられ、安定して該擦拭部品を跨接するように形成されていることを特徴とするディスプレイ擦拭器。
【請求項２】
前記該底板部の底部には、多数の支え突部が設けられ、該底板部に多数の通気孔が貫通して設けられていることを特徴とする請求項１記載のディスプレイ擦拭器。
【請求項３】
前記該擦拭部品は、該基板部の頂端にニギリ部が突設していて、該ニギリ部の底段に比較的細い首段を形成し、該首段から上に向かって拡大頭部を形成し、且つ該拡大頭部は、一側に向かって上に向いて傾斜して伸びることを特徴とする請求項１記載のディスプレイ擦拭器。
【請求項４】
前記該擦拭部品の基板部及び清潔板は、三角形状を形成していることを特徴とする請求項１記載のディスプレイ擦拭器。
【請求項５】
擦拭部品を具え、該擦拭部品は基板部を含み、該基板部の底部に一枚の清潔板を連接し、該清潔板は径方向外側へ突出する最少一つの鋭角の擦拭部を含み、ディスプレイの各角の中に伸入して往復することにより該ディスプレイを清潔にすることを特徴とするディスプレイ擦拭器。
【請求項６】
擦拭部品を具え、該擦拭部品は基板部を含み、該基板部は三角形になり、且つ該基板部の三角形の各角はいずれも鋭角であり、該基板部の底部に一枚の清潔板を連接し、該清潔板は三角形になっていて基板部と対応し、該清潔板の各角は皆鋭角であり、ディスプレイの各角の中に伸入して往復で該ディスプレイを擦拭いて清潔にすることを特徴とするディスプレイ擦拭器。
【手続補正書】
【提出日】平成18年10月31日(2006.10.31)
【手続補正１】
【補正対象書類名】実用新案登録請求の範囲
【補正対象項目名】全文
【補正方法】変更
【補正の内容】
【実用新案登録請求の範囲】
【請求項１】
擦拭部品と、ベース台とを含むディスプレイ擦拭器であって、
該擦拭部品は、基板部を含み、該基板部の底部には一枚の清潔板を連接し、該清潔板は径方向外側へ突出する少なくとも一つの鋭角の擦拭部を含み、ディスプレイの各角の中に伸入して、往復して該ディスプレイを擦拭いて清潔にし、
該ベース台は、底板部を含み、該底板部の周縁に突縁部が突き上がり、該突縁部に丁度よく該擦拭部品の外廓形状の承接穴が設けられ、安定して該擦拭部品を跨接するように形成されていることを特徴とするディスプレイ擦拭器。
【請求項２】
前記該底板部の底部には、多数の支え突部が設けられ、該底板部に多数の通気孔が貫通して設けられていることを特徴とする請求項１記載のディスプレイ擦拭器。
【請求項３】
前記該擦拭部品は、該基板部の頂端にニギリ部が突設していて、該ニギリ部の底段に比較的細い首段を形成し、該首段から上に向かって拡大頭部を形成し、且つ該拡大頭部は、一側に向かって上に向いて傾斜して伸びることを特徴とする請求項１記載のディスプレイ擦拭器。
【請求項４】
前記該擦拭部品の基板部及び清潔板は、三角形状を形成していることを特徴とする請求項１記載のディスプレイ擦拭器。
【請求項５】
擦拭部品を具え、該擦拭部品は基板部を含み、該基板部の底部に一枚の清潔板を連接し、該清潔板は径方向外側へ突出する少なくとも一つの鋭角の擦拭部を含み、ディスプレイの各角の中に伸入して往復することにより該ディスプレイを清潔にすることを特徴とするディスプレイ擦拭器。
【請求項６】
擦拭部品を具え、該擦拭部品は基板部を含み、該基板部は三角形になり、且つ該基板部の三角形の各角はいずれも鋭角であり、該基板部の底部に一枚の清潔板を連接し、該清潔板は三角形になっていて基板部と対応し、該清潔板の各角は皆鋭角であり、ディスプレイの各角の中に伸入して往復で該ディスプレイを擦拭いて清潔にすることを特徴とするディスプレイ擦拭器。